(57)【要約】【課題】簡単な構成で遊技機製品等の不正な取り出しを防止可能であると共に再利用が可能な遊技機梱包箱を提供する。【解決手段】上面に開口部１０ａを設けた箱状の本体１０に複数の遊技盤Ｐ１を収納し、本体開口部１０ａに対して開閉可能に設けられた蓋体２０を閉じた状態で、本体１０に収納された各遊技盤Ｐ１と蓋体２０とが紐状部材３０により不可逆的に連結される。よって、蓋体２０を開放して遊技盤Ｐ１の取り出し等を行うためには紐状部材３０の少なくとも一部を切断して連結状態を解除する必要があり、梱包箱１を不正開封しようとした場合にその痕跡が紐状部材３０に残るので、遊技盤Ｐ１に対する流通過程における不正行為を効果的に防止できる。【選択図】図４
2011131068.tif 000002
【特許請求の範囲】
【請求項１】
遊技機製品又は部品（以下、遊技機製品等）を梱包する遊技機梱包箱であって、
少なくとも一つの面に開口部を設けた箱状の本体と、
その本体の上部に連結部によって連結され且つ前記本体の開口部に対して開閉可能に設けられた蓋体と、
前記本体に収納された少なくとも一つの前記遊技機製品等と前記蓋体とを不可逆的に連結する紐状部材と
を備え、
前記紐状部材は、一方の端部が前記遊技機製品等に係止され且つ他方の端部が前記蓋体に不可逆的に係止され、
前記蓋体を前記本体の開口部に対して閉じた状態で前記紐状部材がほぼ弛みの無い状態となるように、前記紐状部材の長さが設定されたことを特徴とする遊技機梱包箱。
【請求項２】
前記紐状部材は、前記本体に収納された全ての前記遊技機製品等と前記蓋体とを不可逆的に連結することを特徴とする請求項１に記載の遊技機梱包箱。
【請求項３】
前記紐状部材は、一方の端部が前記遊技機製品等に係止される第一の紐状部材と、一方の端部が前記蓋体に係止される第二の紐状部材とからなり、
前記第一の紐状部材の他方の端部と前記第二の紐状部材の他方の端部とが互いに不可逆的に締結されることを特徴とする請求項１又は２に記載の遊技機梱包箱。
【発明の詳細な説明】
【技術分野】
【０００１】
本発明は、パチンコ機等の遊技機製品又は遊技盤等の遊技機部品の梱包に使用される遊技機梱包箱に関する。
【背景技術】
【０００２】
従来、パチンコ機等の遊技機の出荷には、遊技機全体をホールに納入する形態と、いわゆる板替えの際に遊技盤をホールに納入する形態とがあるが、遊技盤を納入する場合、製造ラインにて、遊技盤を製造し、製造した遊技盤に製造番号が印刷された証紙を貼付した遊技盤を段ボール箱に収容し、その段ボール箱の蓋を粘着テープで封緘した後、出荷又は保管されている（例えば、特許文献１参照。）。
【０００３】
さらに、従来、段ボール箱に代えて、樹脂材料を成形してなる収納体及び蓋体からなる遊技機用の梱包箱が提案されている（例えば、特許文献２参照。）。かかる従来の樹脂製梱包箱では、収納体の前面上部に回転式のロック手段を設け、蓋体を閉塞した場合にこれを簡易的にロック可能であると共に、発注元の固有識別表示を追記した封緘条片を蓋体と収納体との間に貼付けて封緘するようになっている。
【先行技術文献】
【特許文献】
【０００４】
【特許文献１】特開２００３−９３６２３号公報
【特許文献２】特開２００１−２７０５４４号公報
【発明の概要】
【発明が解決しようとする課題】
【０００５】
しかしながら、特許文献１に記載されるように段ボール箱で遊技盤の梱包を行った場合、段ボール箱を容易に切開することができるため、段ボール箱より遊技盤を取り出して不正改造を行った後、遊技盤を段ボール箱で再梱包することも比較的簡単であるという問題があった。また、段ボール箱の再梱包が行われた場合には、段ボール箱の梱包状態を見ただけでは不正改造を発見することが困難であるという問題があった。さらに、このように再梱包が容易であることから、遊技盤等の不正改造を試みようとする者が後を絶たないという問題もあった。
【０００６】
一方、特許文献２に記載された樹脂製梱包箱は段ボール箱のように容易に切開できないが、蓋体のロックを解除し、さらに蓋体と収納体との間に貼付けられた封緘条片を丁寧に剥がすことにより、梱包箱を破壊することなく蓋体の開放が可能であり、不正開封の痕跡を残さずに遊技機の不正改造が行われる可能性があるという問題がある。また、簡易的なロック手段に代えて鍵を用いて施錠する構成も考えられるが、鍵が偽造されるおそれがある。また、鍵の偽造を防止するために梱包箱１台毎に異なる鍵で施錠することは、鍵の管理等の問題から実施困難である。
【０００７】
解決しようとする課題は、簡単な構成で遊技機製品等の不正な取り出しを防止可能であると共に再利用が可能な遊技機梱包箱を提供することである。
【課題を解決するための手段】
【０００８】
（請求項１）  遊技機製品又は部品（以下、遊技機製品等）を梱包する遊技機梱包箱であって、
少なくとも一つの面に開口部を設けた箱状の本体と、
その本体の上部に連結部によって連結され且つ前記本体の開口部に対して開閉可能に設けられた蓋体と、
前記本体に収納された少なくとも一つの前記遊技機製品等と前記蓋体とを不可逆的に連結する紐状部材と
を備え、
前記紐状部材は、一方の端部が前記遊技機製品等に係止され且つ他方の端部が前記蓋体に不可逆的に係止され、
前記蓋体を前記本体の開口部に対して閉じた状態で前記紐状部材がほぼ弛みの無い状態となるように、前記紐状部材の長さが設定されたことを特徴とする遊技機梱包箱。
【０００９】
請求項１に記載の発明によれば、少なくとも一つの面に開口部を設けた箱状の本体に遊技機製品等を収納し、本体の上部に連結部によって連結され且つ本体の開口部に対して開閉可能に設けられた蓋体を閉じた状態で、本体に収納された少なくとも一つの遊技機製品等と蓋体とが、ほぼ弛みの無い状態となっている紐状部材により不可逆的に連結される。よって、蓋体を開放して遊技機製品等の取り出し等を行うためには紐状部材の少なくとも一部を切断して連結状態を解除する必要があり、梱包箱を不正開封しようとした場合にその痕跡が紐状部材に残るので、遊技機製品等に対する流通過程における不正行為を効果的に防止できる。また、切断された紐状部材を遊技機製品等及び蓋体から取り除き、未使用の紐状部材を使用することにより梱包箱の再利用が可能であるので、コスト削減及び省資源化を図ることができる。尚、本明細書において、「不可逆的に連結」とは、紐状部材の少なくとも一部を切断することなく連結状態を解除できないことを意味する。
【００１０】
特に、紐状部材は、本体を経由して遊技機製品等と蓋体とを不可逆的に連結するので、本体と蓋体とが紐状部材によって確実に締結され、蓋体が不正に開放されることを防止できる。さらに、紐状部材は、一方の端部が遊技機製品等に係止され且つ他方の端部が蓋体に不可逆的に係止されているので、蓋体を開放して遊技機製品等の取り出し等を行うためには紐状部材の少なくとも一部を切断して連結状態を解除する必要となる。
【００１１】
（請求項２）  前記紐状部材は、前記本体に収納された全ての前記遊技機製品等と前記蓋体とを不可逆的に連結することを特徴とする請求項１に記載の遊技機梱包箱。
【００１２】
請求項２に記載の発明によれば、紐状部材は、本体に収納された全ての遊技機製品等と蓋体とを不可逆的に連結するので、本体に収納されたいずれの遊技機製品等の取り出し等を行う場合にも、紐状部材の少なくとも一部を切断して連結状態を解除することが必要となる。
【００１３】
（請求項３）  前記紐状部材は、一方の端部が前記遊技機製品等に係止される第一の紐状部材と、一方の端部が前記蓋体に係止される第二の紐状部材とからなり、
前記第一の紐状部材の他方の端部と前記第二の紐状部材の他方の端部とが互いに不可逆的に締結されることを特徴とする請求項１又は２に記載の遊技機梱包箱。
【００１４】
請求項３に記載の発明によれば、一方の端部が遊技機製品等に係止される第一の紐状部材の他方の端部及び一方の端部が蓋体に係止される第二の紐状部材の他方の端部をそれぞれ梱包箱の外側に取り出し、この状態で蓋体を本体開口部側へ閉じた後、第一の紐状部材の他方の端部と第二の紐状部材の他方の端部とを互いに不可逆的に締結するので、簡単な構成で確実に遊技機製品等と蓋体とを不可逆的に連結することができる。
【発明の効果】
【００１５】
本発明によれば、少なくとも一つの面に開口部を設けた箱状の本体に遊技機製品等を収納し、本体の上部に連結部によって連結され且つ本体の開口部に対して開閉可能に設けられた蓋体を閉じた状態で、本体に収納された少なくとも一つの遊技機製品等と蓋体とが、ほぼ弛みの無い状態となっている紐状部材により不可逆的に連結される。よって、蓋体を開放して遊技機製品等の取り出し等を行うためには紐状部材の少なくとも一部を切断して連結状態を解除する必要があり、梱包箱を不正開封しようとした場合にその痕跡が紐状部材に残るので、遊技機製品等に対する流通過程における不正行為を効果的に防止できる。また、切断された紐状部材を遊技機製品等及び蓋体から取り除き、未使用の紐状部材を使用することにより梱包箱の再利用が可能であるので、コスト削減及び省資源化を図ることができる。特に、紐状部材は、本体を経由して遊技機製品等と蓋体とを不可逆的に連結するので、本体と蓋体とが紐状部材によって確実に締結され、蓋体が不正に開放されることを防止できる。さらに、紐状部材は、一方の端部が遊技機製品等に係止され且つ他方の端部が蓋体に不可逆的に係止されているので、蓋体を開放して遊技機製品等の取り出し等を行うためには紐状部材の少なくとも一部を切断して連結状態を解除する必要となる。
【図面の簡単な説明】
【００１６】
【図１】本発明の第一の実施形態における蓋体を開放した状態の遊技機梱包箱及び梱包される遊技盤の斜視図である。
【図２】発送情報印字プレートを取り外した状態を示す遊技機梱包箱の分解斜視図である。
【図３】紐状部材の斜視図である。
【図４】梱包箱の左側面図であり、（ａ）は蓋体を開放した状態を、（ｂ）は蓋体を閉じて紐状部材の先端を蓋体に係合させた状態をそれぞれ示している。
【図５】紐状部材先端のカシメピンを蓋体に係合させる様子を示す断面図であり、（ａ）はカシメピンが蓋体挿通孔に挿通される前の状態を、（ｂ）はカシメピンが蓋体挿通孔を通過する途中の状態を、（ｃ）はカシメピンが蓋体下面側へ露出して蓋体との係合が完了した状態をそれぞれ示している。
【図６】梱包箱が封印された状態を示す斜視図である。
【図７】紐状部材の本体部が切断された状態を示す斜視図である。
【図８】蓋体を開放して遊技盤が取り出される様子を示す斜視図である。
【図９】第二の実施形態における梱包箱の左側面図であり、（ａ）は蓋体を開放した状態を、（ｂ）は蓋体を閉じて紐状部材の先端と後端とを互いに係合させた状態をそれぞれ示している。
【図１０】第二の実施形態において、紐状部材先端のカシメピンを後端のソケットに係合させる様子を示す断面図であり、（ａ）はカシメピンがソケットの開口に挿通される前の状態を、（ｂ）はカシメピンが開口を通過する途中の状態を、（ｃ）はカシメピンがソケット内に収容されて係合が完了した状態をそれぞれ示している。
【図１１】第三の実施形態における梱包箱の左側面図であり、（ａ）は蓋体を開放した状態を、（ｂ）は蓋体を閉じて第一の紐状部材と第二の紐状部材の先端同士を互いに係合させた状態をそれぞれ示している。
【図１２】第三の実施形態において、第一の紐状部材先端の挿通頭部を第二の紐状部材先端のソケットに係合させる様子を示す断面図であり、（ａ）は挿通頭部がソケットの開口に挿通される前の状態を、（ｂ）は挿通頭部が開口を通過する途中の状態を、（ｃ）は挿通頭部がソケット内に収容されて係合が完了した状態をそれぞれ示している。
【図１３】変形例において紐状部材の外部露出部分を収容するために本体及び蓋体に設けられた収容溝付近を示す斜視拡大図である。
【図１４】図１３において収容溝に紐状部材が収容された状態を示す斜視拡大図である。
【図１５】変形例において紐状部材を覆うように封緘条片が貼付けられた状態を示す斜視図である。
【発明を実施するための形態】
【００１７】
１．遊技機製品又は部品（以下、遊技機製品等）を梱包する遊技機梱包箱であって、
少なくとも一つの面に開口部を設けた箱状の本体と、
その本体の開口部に対して開閉可能に設けられた蓋体と、
前記本体に収納された少なくとも一つの前記遊技機製品等と前記蓋体とを不可逆的に連結する紐状部材と
を備えたことを特徴とする遊技機梱包箱。
【００１８】
手段１によれば、少なくとも一つの面に開口部を設けた箱状の本体に遊技機製品等を収納し、本体の開口部に対して開閉可能に設けられた蓋体を閉じた状態で、本体に収納された少なくとも一つの遊技機製品等と蓋体とが紐状部材により不可逆的に連結される。よって、蓋体を開放して遊技機製品等の取り出し等を行うためには紐状部材の少なくとも一部を切断して連結状態を解除する必要があり、梱包箱を不正開封しようとした場合にその痕跡が紐状部材に残るので、遊技機製品等に対する流通過程における不正行為を効果的に防止できる。また、切断された紐状部材を遊技機製品等及び蓋体から取り除き、未使用の紐状部材を使用することにより梱包箱の再利用が可能であるので、コスト削減及び省資源化を図ることができる。尚、本明細書において、「不可逆的に連結」とは、紐状部材の少なくとも一部を切断することなく連結状態を解除できないことを意味する。
【００１９】
２．前記蓋体を前記本体の開口部に対して閉じた状態で前記紐状部材がほぼ弛みの無い状態となるように、前記紐状部材の長さが設定されたことを特徴とする手段１に記載の遊技機梱包箱。
【００２０】
手段２によれば、蓋体を本体の開口部に対して閉じた状態で紐状部材がほぼ弛みの無い状態となっているので、蓋体を開放して遊技機製品等の取り出し等を行うためには、紐状部材の少なくとも一部を切断することが確実に必要となる。
【００２１】
３．前記紐状部材は、前記本体を経由して前記遊技機製品等と前記蓋体とを不可逆的に連結することを特徴とする手段１又は２に記載の遊技機梱包箱。
【００２２】
手段３によれば、紐状部材は、本体を経由して遊技機製品等と蓋体とを不可逆的に連結するので、本体と蓋体とが紐状部材によって確実に締結され、蓋体が不正に開放されることを防止できる。
【００２３】
４．前記紐状部材は、前記本体に収納された全ての前記遊技機製品等と前記蓋体とを不可逆的に連結することを特徴とする手段１乃至３のいずれかに記載の遊技機梱包箱。
【００２４】
手段４によれば、紐状部材は、本体に収納された全ての遊技機製品等と蓋体とを不可逆的に連結するので、本体に収納されたいずれの遊技機製品等の取り出し等を行う場合にも、紐状部材の少なくとも一部を切断して連結状態を解除することが必要となる。
【００２５】
５．前記紐状部材は、一方の端部が前記遊技機製品等に係止され且つ他方の端部が前記蓋体に不可逆的に係止されたことを特徴とする手段１乃至３のいずれかに記載の遊技機梱包箱。
【００２６】
手段５によれば、紐状部材は、一方の端部が遊技機製品等に係止され且つ他方の端部が蓋体に不可逆的に係止されているので、蓋体を開放して遊技機製品等の取り出し等を行うためには紐状部材の少なくとも一部を切断して連結状態を解除する必要となる。
【００２７】
６．前記紐状部材の前記他方の端部に係合部が設けられると共に、前記蓋体に前記紐状部材の前記係合部を不可逆的に係止する被係合部が設けられたことを特徴とする手段５に記載の遊技機梱包箱。
【００２８】
手段６によれば、紐状部材の他方の端部に設けられた係合部が、蓋体に設けられた被係合部によって不可逆的に係止されるので、簡単な構成で確実に紐状部材の他方の端部を蓋体に不可逆的に係止することができる。
【００２９】
７．前記紐状部材は、前記一方の端部が前記遊技機製品等に不可逆的に係止されたことを特徴とする手段５又は６に記載の遊技機梱包箱。
【００３０】
手段７によれば、紐状部材を切断することなく遊技機製品等から取り外すことができないので、紐状部材を不正開封の痕跡として確実に残すことができる。
【００３１】
８．前記紐状部材は、一方の端部が前記遊技機製品等に係止される第一の紐状部材と、一方の端部が前記蓋体に係止される第二の紐状部材とからなり、
前記第一の紐状部材の他方の端部と前記第二の紐状部材の他方の端部とが互いに不可逆的に締結されることを特徴とする手段１乃至７のいずれかに記載の遊技機梱包箱。
【００３２】
手段８によれば、一方の端部が遊技機製品等に係止される第一の紐状部材の他方の端部及び一方の端部が蓋体に係止される第二の紐状部材の他方の端部をそれぞれ梱包箱の外側に取り出し、この状態で蓋体を本体開口部側へ閉じた後、第一の紐状部材の他方の端部と第二の紐状部材の他方の端部とを互いに不可逆的に締結するので、簡単な構成で確実に遊技機製品等と蓋体とを不可逆的に連結することができる。
【００３３】
９．前記遊技機製品等及び前記蓋体には、前記紐状部材を挿通可能な挿通孔がそれぞれ形成され、
前記紐状部材は、前記各挿通孔に挿通された状態で両端部が互いに不可逆的に締結されてループ状とされることを特徴とする手段１乃至３のいずれかに記載の遊技機梱包箱。
【００３４】
手段９によれば、紐状部材を遊技機製品等の挿通孔及び蓋体の挿通孔に挿通した状態で、紐状部材の両端部を互いに不可逆的に締結してループ状とするので、簡単な構成で確実に遊技機製品等と蓋体とを不可逆的に連結することができる。
【００３５】
１０．前記紐状部材の少なくとも一部が樹脂材料によって構成されたことを特徴とする手段１乃至９のいずれかに記載の遊技機梱包箱。
【００３６】
手段１０によれば、紐状部材の少なくとも一部が樹脂材料によって構成されているので強固に連結が可能であり且つペンチ等の治具を用いて切断等することにより容易に連結の解除が可能である。
【００３７】
１１．前記紐状部材の少なくとも一部が金属材料によって構成されたことを特徴とする手段１乃至９のいずれかに記載の遊技機梱包箱。
【００３８】
手段１１によれば、紐状部材の少なくとも一部が金属材料によって構成されているので強固に連結が可能であり且つペンチ等の治具を用いて切断等することにより容易に連結の解除が可能である。
【００３９】
１２．前記蓋体と前記本体との間を封緘し且つ前記紐状部材の外部露出部分の少なくとも一部を覆うように貼付けられる封緘条片を備えたことを特徴とする手段１乃至１１のいずれかに記載の遊技機梱包箱。
【００４０】
手段１２によれば、蓋体と本体との間を封緘し且つ紐状部材の外部露出部分の少なくとも一部を覆うように貼付けられる封緘条片を備えているので、紐状部材を切断等するためには封緘条片を剥がす必要があり、紐状部材に加えて封緘条片においても不正開封の痕跡を残すことができ、遊技機製品等に対する流通過程における不正行為をより一層効果的に防止できる。
【００４１】
１３．前記封緘条片は、再貼り付け不能であることを特徴とする手段１２に記載の遊技機梱包箱。
【００４２】
手段１３によれば、封緘条片は、再貼り付け不能である（貼り付け後に一旦剥がしてから再度貼り付けることができない）ので、不正開封の痕跡を確実に残すことができる。
【００４３】
１４．前記封緘条片には、固有情報が表示されたことを特徴とする手段１２又は１３に記載の遊技機梱包箱。
【００４４】
手段１４によれば、封緘条片には固有情報が表示されているので、封緘条片の偽造が防止される。尚、固有情報とは、梱包箱に付与された固有の情報であり、例えば、出荷用のシリアル番号等である。
【００４５】
１５．前記本体及び／又は前記蓋体には、前記紐状部材の外部露出部分を収容可能な収容溝が設けられたことを特徴とする手段１乃至１４のいずれかに記載の遊技機梱包箱。
【００４６】
手段１５によれば、紐状部材の外部露出部分が本体及び／又は蓋体に設けられた収容溝に収容されるので、梱包箱の搬送時等に紐状部材を他の物に引っ掛けたり、誤って紐状部材を傷つけたりすることを防止できる。また、本体と蓋体との間を封緘する封緘条片を備える場合、紐状部材が収容溝に収容されているので紐状部材を覆うように封緘条片を貼り付けることが容易である。
【００４７】
１６．前記本体及び／又は前記蓋体には、前記紐状部材の切断箇所を示す切断用ガイド溝が設けられたことを特徴とする手段１乃至１５のいずれかに記載の遊技機梱包箱。
【００４８】
手段１６によれば、本体及び／又は蓋体には、紐状部材の切断箇所を示す切断用ガイド溝が設けられているので、作業者は切断箇所を容易に認識できると共に、ペンチやハサミ等の工具の先端を切断用ガイド溝に差し込んで容易且つ確実に紐状部材を切断して梱包箱を開封することができる。
【００４９】
１７．前記本体及び／又は前記蓋体が樹脂材料によって構成されたことを特徴とする手段１乃至１６のいずれかに記載の遊技機梱包箱。
【００５０】
手段１７によれば、本体及び／又は蓋体が樹脂材料によって構成されているので、強度に優れた梱包箱を安価に製造することができる。
【００５１】
１８．前記本体及び／又は前記蓋体の少なくとも一部が透明な樹脂材料によって構成されたことを特徴とする手段１７に記載の遊技機梱包箱。
【００５２】
手段１８によれば、本体及び／又は蓋体の少なくとも一部が透明な樹脂材料によって構成されているので、梱包箱を封印した状態で内部に収納された遊技機製品等における異状の有無を容易に視認することができる。
【００５３】
１９．前記本体及び／又は前記蓋体が折り畳み可能に構成されたことを特徴とする手段１乃至１８のいずれかに記載の遊技機梱包箱。
【００５４】
手段１９によれば、本体及び／又は蓋体が折り畳み可能に構成されているので、保管や運搬の際には折り畳んで薄型の形状とし、省スペース化を図ることができる。
【００５５】
２０．前記本体又は前記蓋体には、発送情報が印字される発送情報印字部材が着脱可能に取り付けられたことを特徴とする手段１乃至１９のいずれかに記載の遊技機梱包箱。
【００５６】
手段２０によれば、本体又は蓋体に発送情報が印字される発送情報印字部材が着脱可能に取り付けられているので、開梱された梱包箱は印字済みの発送情報印字部材を未使用の物と交換することによって梱包箱を再利用することができる。
【００５７】
２１．前記発送情報印字部材は、前記本体と前記蓋体とが締結された状態で取外し不能に構成されたことを特徴とする手段２０に記載の遊技機梱包箱。
【００５８】
手段２１によれば、発送情報印字部材は、本体と蓋体とが締結された状態で取外し不能であるので、発送情報印字部材の不正な取り外しを確実に防止することができる。
【００５９】
２２．前記本体の内側面に、前記遊技機製品等を前記本体内の所定位置に位置決めする位置決め部が形成されたことを特徴とする手段１乃至２１のいずれかに記載の遊技機梱包箱。
【００６０】
手段２２によれば、本体の内側面に遊技機製品等を本体内の所定位置に位置決めする位置決め部が形成されているので、梱包される遊技機製品等を本体内の所定位置に確実に位置決めすることができる。また、複数の遊技機製品等を梱包箱内で仕切るために従来より使用されていた仕切り板を用いることなく、遊技機製品等が梱包箱内で互いにぶつかり合って破損することを防止することができる。
【００６１】
２３．前記位置決め部は、前記遊技機製品等の少なくとも一部を案内する前記本体の内側面に形成された案内溝であることを特徴とする手段２２に記載の遊技機梱包箱。
【００６２】
手段２３によれば、本体の内側面に、遊技機製品等の少なくとも一部を案内する案内溝が形成されているので、遊技機製品等を案内溝によって容易に位置決めしつつ本体内部に収納することができると共に、遊技機製品等の破損を防止することができる。
【００６３】
２４．遊技機製品が梱包される梱包箱であることを特徴とする手段１乃至２３のいずれかに記載の遊技機梱包箱。
【００６４】
手段２４によれば、梱包された遊技機製品に対する流通過程における不正行為を効果的に防止できる。
【００６５】
２５．前記遊技機製品は、パチンコ機であることを特徴とする手段２４に記載の遊技機梱包箱。
【００６６】
手段２５によれば、梱包されたパチンコ機に対する流通過程における不正行為を効果的に防止できる。
【００６７】
２６．前記遊技機製品は、スロットマシンであることを特徴とする手段２４に記載の遊技機梱包箱。
【００６８】
手段２６によれば、梱包されたスロットマシンに対する流通過程における不正行為を効果的に防止できる。
【００６９】
２７．前記遊技機製品は、複数種類の図柄が表示された複数の回転リールを有し、前記各回転リールの回転停止時の図柄の組合わせに基づく入賞態様に応じて遊技球が払い出されるパチロット機であることを特徴とする手段２４に記載の遊技機梱包箱。
【００７０】
手段２７によれば、梱包されたパチロット機に対する流通過程における不正行為を効果的に防止できる。
【００７１】
２８．遊技機部品が梱包される梱包箱であることを特徴とする手段１乃至２３のいずれかに記載の遊技機梱包箱。
【００７２】
手段２８によれば、梱包された遊技機部品に対する流通過程における不正行為を効果的に防止できる。
【００７３】
２９．前記遊技機部品は、遊技機の制御装置であることを特徴とする手段２８に記載の遊技機梱包箱。
【００７４】
手段２９によれば、梱包された遊技機の制御装置に対する流通過程における不正行為を効果的に防止できる。
【００７５】
３０．前記遊技機部品は、パチンコ機の遊技盤であることを特徴とする手段２８に記載の遊技機梱包箱。
【００７６】
手段３０によれば、梱包されたパチンコ機の遊技盤に対する流通過程における不正行為を効果的に防止できる。
【００７７】
以下、本発明の遊技機梱包箱を具体化した各実施形態について、図面を参照しつつ説明する。第一の実施形態の遊技機梱包箱（以下、梱包箱）１は、複数台（例えば、３台）の遊技盤Ｐ１を梱包するための樹脂材料からなる梱包箱である。まず、梱包箱１の説明に先立って、梱包箱１にて梱包される遊技盤Ｐ１について図１を参照しつつ説明する。尚、図１は、本発明の第一の実施形態における蓋体２０を開放した状態の梱包箱１及び梱包される遊技盤Ｐ１の斜視図である。
【００７８】
遊技盤Ｐ１は、パチンコ機の主要部品をなす遊技盤であって、遊技盤用ベニヤ板（遊技板Ｐ２）に化粧板を貼った後、釘打ちを行い、遊技領域を囲むように概略一回転する金属製のガイドレールを取り付けると共に、その遊技領域に風車や役物等の部品を取り付け、更に遊技盤の各種制御を行うための各種基板を収容したメイン基板、音声基板、ランプ基板等が収容された基板ボックスが取り付けられた装置である。また、遊技板Ｐ２上部中央には、後述する紐状部材３０が挿通される遊技板挿通孔Ｐ２ａが前後方向に貫通形成されている。
【００７９】
次に、梱包箱１の構成について、図１乃至図８を参照しつつ説明する。尚、図２は、発送情報印字プレート４１を取り外した状態を示す梱包箱１の分解斜視図である。図３は、紐状部材３０の斜視図である。図４は、梱包箱１の左側面図であり、（ａ）は蓋体２０を開放した状態を、（ｂ）は蓋体２０を閉じて紐状部材３０先端を蓋体２０に係合させた状態をそれぞれ示している。梱包箱１は、図１等に示すように、本体１０と、本体１０上面の開口部１０ａに対して開閉可能に設けられた蓋体２０とから構成される。
【００８０】
本体１０は、樹脂成形された箱状部材であり、上面に開口部１０ａが設けられている。本体１０は、具体的には、樹脂成形された矩形平板状の前面部１１，右側面部１２，背面部１３、左側面部１４及び底面部１５によって箱状が形成されている。本体１０の背面部１３上部は、肉薄状の樹脂からなる連結部１６によって蓋体２０後端に連結されている。
【００８１】
本体１０の前面部１１の上部中央には、内側面と外側面との間を貫通する前面部挿通孔１１ａが形成されている。また、本体１０の前面部１１には、図１及び図２に示すように、発送情報が印字される発送情報印字プレート４１が着脱可能に設けられている。発送情報印字プレート４１は、発送情報の印字面が設けられた矩形平板状の発送情報印字部４１ａと、発送情報印字部４１ａの背面側に設けられた一回り大きな外形を有するベース部４１ｂとから構成される。一方、本体１０の前面部１１中央には、発送情報印字プレート４１の発送情報印字部４１ａが嵌め込まれる矩形状の開口部１１ｂが形成されている。そして、発送情報印字プレート４１は、図２に示すように、本体１０の内側から発送情報印字部４１ａを開口部１１ｂに嵌め込み、開口部１１ｂよりも外形の大きなベース部４１ｂの四隅で取り付けねじ４１ｃを介して前面部１１内側面に固着される。尚、発送情報印字プレート４１が、本発明の発送情報印字部材を構成するものである。
【００８２】
尚、発送情報とは、視認して保管・出荷作業を行うための遊技盤Ｐ１の発送に関する情報であって、具体的には、梱包箱１に収容された遊技盤Ｐ１の納品先名、納品先住所、遊技盤に貼付けられた証紙の管理番号、機種名、枚数等の情報が含まれる。
【００８３】
また、本体１０の右側面部１２内側面には、遊技盤Ｐ１の遊技板Ｐ２の板厚よりも僅かに大きな溝幅の遊技板案内溝１２ａが等間隔で３箇所に形成され、左側面部１４の内側面には各遊技板案内溝１２ａにそれぞれ対向する位置に同様の溝幅の遊技板案内溝１４ａが形成されている。すなわち、本体１０内側面には左右一対の遊技板案内溝１２ａ，１４ａが３組形成され、対をなす各遊技板案内溝１２ａ，１４ａは、それぞれ遊技盤Ｐ１が本体１０に収納される際に遊技板Ｐ２の左右両端を案内すると共に、収納された３台の遊技盤Ｐ１が本体１０内で動かないように各遊技板Ｐ２の左右両端を保持する役割を有する。尚、遊技板案内溝１２ａ，１４ａが、本発明の位置決め部及び案内溝を構成するものである。
【００８４】
蓋体２０は、樹脂成形された矩形状の平板であり、図１等に示すように、背面側が連結部１６を介して本体１０の背面部１３上部と連結されることにより、本体１０の開口部１０ａに対して開閉可能となっている。蓋体２０前端から数ｃｍ離隔し且つ左右方向中央の位置には、後述する紐状部材３０先端のカシメピン３０ｂ（図３参照）が挿入される平面視矩形状の蓋体挿通孔２０ａが上下方向に貫通形成されている。尚、カシメピン３０ｂが本発明の係合部を、蓋体挿通孔２０ａの下側周縁部が被係合部をそれぞれ構成するものである。
【００８５】
紐状部材３０は、樹脂材料を成型することにより紐状に形成され、遊技盤Ｐ２と蓋体２０とを不可逆的に連結するための部材である。紐状部材３０は、図３に示すように、紐状の本体部３０ａと、本体部３０ａ先端に設けられたカシメピン３０ｂと、本体部３０ａ後端に設けられた球状部３０ｄとを備えている。本体部３０ａは、蓋体２０を本体１０の開口部１０ａに対して閉じ、紐状部材３０後端の球状部３０ｄを遊技板挿通孔Ｐ２ａに係止させると共に先端のカシメピン３０ｂを蓋体挿通孔２０ａの蓋体２０下面周縁に係止させた状態で、本体部３０ａがほぼ弛みの無い状態となるように長さが設定されている。また、本体部３０ａの断面サイズは、遊技板挿通孔Ｐ２ａ及び蓋体挿通孔２０ａを挿通可能であり且つ十分な引っ張り強度を確保可能な大きさに設定されている。また、本体部３０ａ先端に設けられたカシメピン３０ｂは、傘形部３０ｃを有し、遊技板挿通孔Ｐ２ａ及び蓋体挿通孔２０ａに先端側からのみ挿通可能となっている。本体部３０ａ後端に設けられた球状部３０ｄは、遊技板挿通孔Ｐ２ａ周縁にて係止されるように遊技板挿通孔Ｐ２ａの内径よりも大きな直径を有する球状体である。
【００８６】
次に、上述した構成を有する梱包箱１に遊技盤Ｐ１を収納し、封印する手順について説明する。まず、図１に示すように、梱包箱１の蓋体２０を開放させ、複数の遊技盤Ｐ１を本体１０内へ収納する。この時、各遊技盤Ｐ１の遊技板Ｐ２の左右両端が一対の遊技盤案内溝１２ａ，１４ａによって案内されるため、本体１０内の所定位置へ確実に収納することができる。次に、図４（ａ）に示すように、紐状部材３０先端のカシメピン３０ｂを、本体１０内にて最後方に収納された遊技盤Ｐ１の遊技板挿通孔Ｐ２ａに背面側から前面側へ挿通し、更に、真中の遊技盤Ｐ１及び最前方の遊技盤Ｐ１の遊技板挿通孔Ｐ２ａにそれぞれ背面側から前面側へ順次挿通する。そして、紐状部材３０先端のカシメピン３０ｂを前面部挿通孔１１ａに本体１０内側から挿通して外側へ取り出すと共に前方へ引っ張り、紐状部材３０後端の球状部３０ｄが最後方の遊技盤Ｐ１の遊技板挿通孔Ｐ２ａの背面側周縁にて係止されるまで本体部３０ａを本体１０外側へ繰り出す。
【００８７】
次に、図４（ｂ）に示すように、蓋体２０を本体１０の開口部１０ａ側へ閉じて、紐状部材３０先端のカシメピン３０ｂを蓋体挿通孔２０ａに上面側から挿通し、カシメピン３０ｂ全体が蓋体２０の下面側に出るまで押し込んでいく。具体的には、図５（ａ）乃至（ｂ）に示すように、蓋体挿通孔２０ａに蓋体２０上面側からカシメピン３０ｂを押し込むと、傘形部３０ｃが弾性変形して蓋体２０下面側へ差し込まれる。カシメピン３０ｂが蓋体挿通孔２０ａを通過すると、傘型部３０ｃがその復元力により開くので、カシメピン３０ｂを蓋体２０上面側へ引き抜くことができない状態となる（図５（ｃ）参照）。つまり、遊技盤Ｐ１及び蓋体２０は、紐状部材３０によって不可逆的に連結された状態となる。最後に、粘着テープで蓋体２０と本体１０との境目を封緘することにより梱包箱１の封印が完了する。尚、図６は、梱包箱１の封印が完了した状態を示す斜視図である。
【００８８】
梱包箱１の封印が完了した状態において、遊技盤Ｐ１及び蓋体２０は紐状部材３０によって不可逆的に連結されているので、蓋体２０と本体１０との境目を封緘する粘着テープを剥がしても、紐状部材３０の少なくとも一部を切断しない限り連結状態を解除できず、蓋体２０を開放して遊技盤Ｐ１を取り出すことはできない。よって、梱包箱１を不正に開封しようとした場合には、その痕跡が梱包箱１に残るため、不正行為を効果的に防止できる。また、遊技盤Ｐ１が収納され且つ封印された梱包箱１は、前面部１１に取り付けられた発送情報印字プレート４１において開口部１１ｂより露出する発送情報印字部４１ａに発送情報が印字される（図６参照）。尚、樹脂製の発送情報印字部４１ａに発送情報を直接印字するようにしてもよく、或いは、発送情報印字部４１ａに紙製ラベルを貼付けてラベル上に発送情報を印字するようにしてもよい。
【００８９】
次に、梱包箱１を開封する手順について説明する。最初に、蓋体２０と本体１０との境目を封緘する粘着テープを剥がす。次いで、梱包箱１の外側に一部が露出する紐状部材３０の本体部３０ａを任意の位置でペンチ等の工具を用いて切断する。図７は、紐状部材３０の本体部３０ａが１箇所で切断されて、蓋体２０が開放可能となった状態を示す梱包箱１の斜視図である。紐状部材３０の一部を切断することによって、遊技盤Ｐ１及び蓋体２０の連結状態が解除されると、図８に示すように、蓋体２０を開放して本体１０から各遊技盤Ｐ１を取り出すことが可能となる。また、切断された紐状部材３０を遊技盤Ｐ１及び蓋体２０からそれぞれ取り外し、発送情報印字プレート４１を新品と交換することにより、梱包箱１を再利用することが可能となる。
【００９０】
以上詳述したことから明らかなように、本実施形態によれば、上面に開口部１０ａを設けた箱状の本体１０に複数（３台）の遊技盤Ｐ１を収納し、本体開口部１０ａに対して開閉可能に設けられた蓋体２０を閉じた状態で、本体１０に収納された各遊技盤Ｐ１と蓋体２０とが紐状部材３０により不可逆的に連結される。よって、蓋体２０を開放して遊技盤Ｐ１の取り出し等を行うためには紐状部材３０の少なくとも一部を切断して連結状態を解除する必要があり、梱包箱１を不正開封しようとした場合にその痕跡が紐状部材３０に残るので、遊技盤Ｐ１に対する流通過程における不正行為を効果的に防止できる。また、切断された紐状部材３０を遊技盤Ｐ１及び蓋体２０から取り除き、未使用の紐状部材３０を使用することにより梱包箱１の再利用が可能であるので、コスト削減及び省資源化を図ることができる。
【００９１】
また、蓋体２０を本体開口部１０ａに対して閉じた状態で紐状部材３０がほぼ弛みの無い状態となっているので、蓋体２０を開放して遊技盤Ｐ１の取り出し等を行うためには、紐状部材３０の少なくとも一部を切断することが確実に必要となる。また、紐状部材３０は、本体１０の前面部挿通孔１０ａを経由して遊技盤Ｐ１と蓋体２０とを不可逆的に連結するので、本体１０と蓋体２０とが紐状部材３０によって確実に締結され、蓋体２０が不正に開放されることを防止できる。また、紐状部材３０は、本体１０に収納された全ての遊技盤Ｐ１と蓋体２０とを不可逆的に連結するので、本体１０に収納されたいずれの遊技盤Ｐ１の取り出し等を行う場合にも、紐状部材３０の少なくとも一部を切断して連結状態を解除することが必要となる。また、紐状部材３０が樹脂材料によって構成されているので強固に連結が可能であり且つペンチ等の治具を用いて切断等することにより容易に連結の解除が可能である。
【００９２】
また、発送情報が印字される発送情報印字プレート４１が本体１０に対して着脱可能に取り付けられているので、開梱された梱包箱１における印字済みの発送情報印字プレート４１を新品と交換することによって梱包箱１を再利用することができる。また、本体１０と蓋体２０とが締結された状態で取り付けねじ４１ｃが外部に露出しておらず、発送情報印字プレート４１が取外し不能であるので、発送情報印字プレート４１の不正な取り外しを確実に防止することができる。
【００９３】
また、本体１０の内側面に、遊技盤Ｐ１の遊技板Ｐ２を位置決めし且つ案内する遊技板案内溝１２ａ，１４ａが形成されているので、遊技板Ｐ２を容易に位置決めしつつ本体１０内部に遊技盤Ｐ１を収納することができると共に、収納された遊技盤Ｐ１が動かないように保持することにより破損を防止することができる。また、本体１０及び蓋体２０が樹脂材料によって構成されているので、強度に優れた梱包箱１を安価に製造することができる。
【００９４】
次に、本発明の第二の実施形態の遊技機梱包箱２について図９乃至１０を参照しつつ説明する。本実施形態の梱包箱２は、紐状部材３１が、遊技板挿通孔Ｐ２ａ及び蓋体挿通孔２０ａにそれぞれ挿通された状態で両端部が互いに不可逆的に締結されてループ状とされることを特徴とする。すなわち、紐状部材３１は、図９（ａ）に示すように、紐状の本体部３１ａと、本体部３１ａの先端に設けられた傘形部３１ｃを有するカシメピン３１ｂと、本体部３１ａ後端に設けられたソケット部３１ｄとを備えている。カシメピン３１ｂは、第一の実施形態におけるカシメピン３０ｂと同様であるので詳細説明を省略する。ソケット部３１ｄは、図１０（ａ）に示すように、カシメピン３１ｂを収容可能な内部空間３１ｅと、内部空間３１ｅに連通する開口３１ｆとを有している。尚、開口３１ｆは、カシメピン３１ｂが傘形部３１ｃを閉じた状態で挿通可能な大きさに設定されている。
【００９５】
次に、複数の遊技盤Ｐ１を本体１０内に収納した梱包箱２を封印する手順について説明する。まず、図９（ａ）に示すように、紐状部材３１先端のカシメピン３１ｂを蓋体２０上面側から蓋体挿通孔２０ａへ挿通させ、本体１０内で最も前方に収納された遊技盤Ｐ１の遊技板挿通孔Ｐ２ａに背面側から挿通して前面側に取り出す。さらに、紐状部材３１先端のカシメピン３１ｂを前面部挿通孔１１ａに内側から挿通して外側に取り出し、紐状部材３１後端のソケット部３１ｄが蓋体挿通孔２０ａの蓋体２０上面側周縁にて係止されるまで引っ張って本体部３１ａを本体１０外側へ繰り出す。
【００９６】
続いて、図９（ｂ）に示すように、蓋体２０を本体１０の開口部１０ａ側へ閉じて、紐状部材３１先端のカシメピン３１ｂをソケット部３１ｄの開口３１ｆに挿通し、カシメピン３１ｂを内部空間３１ｅ内に押し込んで係合させる。具体的には、図１０（ａ）乃至（ｂ）に示すように、ソケット部３１ｄの開口３１ｆにカシメピン３１ｂを押し込むと、傘形部３１ｃが弾性変形して内部空間３１ｅ内へ差し込まれる。カシメピン３１ｂが開口３１ｆを通過すると、傘型部３１ｃがその復元力により開くので、カシメピン３１ｂをソケット部３１ｄから引き抜くことができない状態となる（図１０（ｃ）参照）。つまり、遊技盤Ｐ１及び蓋体２０は、紐状部材３１によって不可逆的に連結される。また、この時、紐状部材３１は、ほぼ弛みの無い状態となっている。最後に、第一の実施形態と同様に、粘着テープで蓋体２０と本体１０との境目を封緘することにより梱包箱２の封印が完了する。
【００９７】
以上詳述したことから明らかなように、本実施形態によれば、紐状部材３１を遊技盤挿通孔Ｐ２ａ及び蓋体挿通孔２０ａに挿通した状態で、紐状部材３１の両端部（カシメピン３１ｂ及びソケット部３１ｄ）を互いに不可逆的に締結してループ状とするので、簡単な構成で確実に遊技盤Ｐ１と蓋体２０とを不可逆的に連結することができる。
【００９８】
次に、本発明の第三の実施形態の遊技機梱包箱３について図１１乃至１２を参照しつつ説明する。前記第一の実施形態では、１本の紐状部材３０によって遊技盤Ｐ１及び蓋体２０を不可逆的に連結する構成としたが、第三の実施形態では、図１１及び図１２に示すように、２本の紐状部材（第一の紐状部材３３及び第二の紐状部材３４）によって遊技盤Ｐ１及び蓋体２０を不可逆的に連結する構成としたことを特徴とする。第一の紐状部材３３は、紐状の本体部３３ａと、本体部３３ａ先端に設けられ、基端側に段差部３３ｃを有する挿通頭部３３ｂと、本体部３３ａの後端に設けられた球状部３３ｄとを備えている（図１１及び図１２参照）。一方、第二の紐状部材３４は、紐状の本体部３４ａと、本体部３４ａ先端に設けられたソケット部３４ｂと、本体部３４ａ後端に設けられた球状部３４ｆとを備えている（図１１及び図１２参照）。また、ソケット部３４ｂは、図１２に示すように、挿通頭部３３ｂを通すための開口３４ｃと、挿通頭部３３ｂの段差部３３ｃと係合して挿通頭部３３ｂを不可逆的に係止するブレード部３４ｄと、挿通頭部３３ｂを収容可能な内部空間３４ｅとを有している。
【００９９】
次に、複数の遊技盤Ｐ１を本体１０内に収納した梱包箱３を封印する手順について説明する。まず、図１１（ａ）に示すように、第一の紐状部材３３先端の挿通頭部３３ｂを本体１０内にて最後方に収納された遊技盤Ｐ１の遊技板挿通孔Ｐ２ａに背面側から前面側へ挿通し、更に、真中の遊技盤Ｐ１及び最前方の遊技盤Ｐ１の遊技板挿通孔Ｐ２ａにそれぞれ背面側から前面側へ順次挿通する。そして、第一の紐状部材３３先端の挿通頭部３３ｂを前面部挿通孔１１ａに本体１０内側から挿通して外側へ取り出すと共に前方へ引っ張り、第一の紐状部材３３後端の球状部３３ｄが最後方の遊技盤Ｐ１の遊技板挿通孔Ｐ２ａの背面側周縁にて係止されるまで本体部３３ａを外側へ繰り出す。
【０１００】
一方、第二の紐状部材３４先端のソケット部３４ｂを蓋体挿通孔２０ａに蓋体２０下側から上側へ挿通して蓋体２０上面側に取り出すと共に上方へ引っ張り、蓋体挿通孔２０ａの内径よりも直径が大きな球状部３４ｆが蓋体挿通孔２０ａの蓋体２０下面側周縁にて係止されるまで本体部３４ａを上方へ繰り出す。
【０１０１】
次に、図１１（ｂ）に示すように、蓋体２０を本体１０の開口部１０ａ側へ閉じて、第一の紐状部材３３先端の挿通頭部３３ｂを第二の紐状部材３４先端のソケット部３４ｂの開口３４ｃに挿入し、挿通頭部３３ｂの段差部３３ｃをブレード部３４ｄに係合させる。具体的には、図１２（ａ）乃至（ｂ）に示すように、ソケット部３４ｄの開口３４ｃに挿通頭部３３ｂを押し込むと、両側のブレード部３４ｄが弾性変形して大きく開き、挿通頭部３３ｂが内部空間３４ｅ内へ差し込まれる。挿通頭部３３ｂが開口３４ｃを通過すると、ブレード部３４ｄがその復元力により元の位置まで閉じるので、挿通頭部３３ｂをソケット部３４ｂから引き抜くことができない状態となる（図１２（ｃ）参照）。つまり、遊技盤Ｐ１及び蓋体２０は、挿通頭部３３ｂ及びソケット部３４ｂを介して締結された第一の紐状部材３３と第二の紐状部材３４とによって不可逆的に連結された状態となる。また、この時、第一の紐状部材３３及び第二の紐状部材３４は、ほぼ弛みの無い状態となっている。最後に、第一の実施形態と同様に、粘着テープで蓋体２０と本体１０との境目を封緘することにより梱包箱３の封印が完了する。
【０１０２】
以上詳述したことから明らかなように、本実施形態によれば、後端が遊技盤Ｐ１に係止される第一の紐状部材３３の先端、及び後端が蓋体２０に係止される第二の紐状部材３４の先端をそれぞれ梱包箱３の外側に取り出し、この状態で蓋体２０を本体開口部１０ａ側へ閉じた後、第一の紐状部材３３先端の挿通頭部３３ｂと第二の紐状部材３４先端のソケット部３４ｂとを互いに不可逆的に締結するので、簡単な構成で確実に遊技盤Ｐ１と蓋体２０とを不可逆的に連結することができる。
【０１０３】
尚、本発明は上述した各実施の形態に限定されるものではなく、本発明の主旨を逸脱しない範囲で種々の変更を施すことが可能である。例えば、前記第一の実施形態では、紐状部材３０後端が遊技盤Ｐ１に対して取外し可能に係止される構成としたが、紐状部材の後端が遊技盤Ｐ１に不可逆的に係止される構成としてもよい。例えば、紐状部材を樹脂材料により遊技盤Ｐ１と一体的に形成してもよい。本変形例によれば、紐状部材を切断することなく遊技盤Ｐ１から取り外すことができないので、紐状部材を不正開封の痕跡として確実に残すことができる。
【０１０４】
また、前記各実施形態において、本体１０及び／又は蓋体２０を折り畳み可能な構成としてもよい。例えば、梱包箱１において、底面部１５を開閉可能に構成すると共に側面部１１〜１４に対してワンウェイねじ等を用いて不可逆的に締結することにより、本体１０を折り畳み可能な構成としてもよい。前面部１１の内側と左側面部１４の内側とを当接させ、且つ右側面部１２の内側と背面部１３の内側とをそれぞれ当接させるように折り畳まれ、蓋体２０及び底面部１５ｄを開放させることにより梱包箱４が薄型の全体形状となり、保管や運搬等において省スペース化を図ることができる。
【０１０５】
また、前記各実施形態において、本体１０及び／又は蓋体２０の少なくとも一部を透明な樹脂材料によって構成してもよい。本変形例によれば、梱包箱１，２又は３が封印された状態で、梱包箱１等内に収納された遊技盤Ｐ１における異状の有無を容易に視認することができる。また、前記各実施形態では、粘着テープで蓋体２０を封緘する構成としたが、蓋体２０と本体１０との間をロックするロック機構を設ける構成とし、粘着テープの貼付を省略するようにしてもよい。また、前記各実施形態において、紐状部材３０等を樹脂材料により構成したが、金属材料を原料として針金状又はワイヤ状に構成してもよい。
【０１０６】
また、前記第一の実施形態において、本体１０及び／又は蓋体２０に紐状部材３０の外部露出部分を収容可能な収容溝を設ける構成としてもよい。例えば、図１３乃至図１５に示す変形例では、本体１０の前面部１１の前面側上方部には紐状部材３０の外部露出部分を収容可能な収容溝１１ｃが設けられ、蓋体２０上面前方部にも同様に収容溝２０ｂが設けられている。また、蓋体２０には、収容溝２０ｂに直交するように紐状部材３０の切断箇所を示す切断用ガイド溝２０ｃが設けられている。尚、図１３は、本体１０及び蓋体２０の収容溝１１ｃ、２０ｂ付近を示す斜視拡大図であり、図１４は、図１３において収容溝１１ｃ、２０ｂに紐状部材３０が収容された状態を示す斜視拡大図である。本変形例によれば、紐状部材３０の本体部３０ａの外部露出部分が収容溝１１ｃ、２０ｂに収容されるので、梱包箱１の搬送時等に紐状部材３０を他の物に引っ掛けたり、誤って紐状部材３０を傷つけたりすることを防止できる。また、作業者は切断用ガイド溝２０ｃにより切断箇所を容易に認識できると共に、ペンチやハサミ等の工具の先端を切断用ガイド溝２０ｃに差し込んで容易且つ確実に紐状部材３０の本体部３０ａを切断して梱包箱１を開封することができる。
【０１０７】
更に、上述した変形例において、図１５に示すように、蓋体２０と本体１０との間を封緘し且つ紐状部材３０の外部露出部分の少なくとも一部を覆うように貼付けられる封緘用のシールである封緘条片３５を備える構成としてもよい。図１５は、紐状部材３０を覆うように封緘条片３５が貼付けられた状態を示す梱包箱１の斜視図である。本変形例では、紐状部材３０を切断等するためには封緘条片３５を剥がす必要があり、紐状部材３０に加えて封緘条片３５においても不正開封の痕跡を残すことができ、遊技盤Ｐ１に対する流通過程における不正行為をより一層効果的に防止できる。また、本変形例では、紐状部材３０の外部露出部分が収容溝１１ｃ、２０ｂに収容されているため、紐状部材３０を覆うように封緘条片３５を貼付けることが容易である。尚、封緘条片３５は、不正開封の痕跡が確実に残るようにするために、再貼り付け不能である（貼り付け後に一旦剥がしてから再度貼り付けることができない）ことが好ましい。また、封緘条片３５の偽造防止を図るために、封緘条片３５には固有情報（梱包箱１に付与された固有の情報）が表示されていることが好ましい。図１５は、封緘条片３５上に固有情報として出荷用のシリアル番号（Ｎｏ．１２３４５）が表示された例を示している。
【０１０８】
また、前記実施形態において、梱包箱１〜３はパチンコ機の遊技盤Ｐ１を梱包するための梱包箱であったが、いかなる遊技機製品又は部品を梱包するための梱包箱であってもよい。例えば、梱包箱１等は、パチンコ機，スロットマシン，複数種類の図柄が表示された複数の回転リールを有し、前記各回転リールの回転停止時の図柄の組合わせに基づく入賞態様に応じて遊技球が払い出されるパチロット機等の遊技機製品を梱包するための梱包箱であってもよい。あるいは、遊技機の制御装置（例えば、メイン基板や払出制御基板）等の遊技機部品を梱包するための梱包箱であってもよい。これらの遊技機製品又は部品が梱包された梱包箱１を不可逆的に封印することによって、パチンコ機，スロットマシン，パチロット機等の遊技機製品や遊技盤や制御装置等の遊技機部品に対する流通過程における不正行為を効果的に防止できる。
【産業上の利用可能性】
【０１０９】
パチンコ機だけでなくスロットマシンや、パチンコ機とスロットマシンとを融合した遊技機等のあらゆる遊技機製品又は部品を梱包する梱包箱に適用できる。
【符号の説明】
【０１１０】
Ｐ１ 遊技盤（遊技機製品等）
Ｐ２ 遊技板
Ｐ２ａ 遊技板挿通孔（挿通孔）
１，２，３ 遊技機梱包箱
１０ 本体
１０ａ 開口部
１１ 前面部
１１ａ 前面部挿通孔
１１ｃ 収容溝
１２ａ 遊技板案内溝（位置決め部、案内溝）
１４ａ 遊技板案内溝（位置決め部、案内溝）
２０ 蓋体
２０ａ 蓋体挿通孔（被係合部、挿通孔）
２０ｂ 収容溝
２０ｃ 切断用ガイド溝
３０ 紐状部材
３０ｂ カシメピン（係合部）
３０ｄ 球状部
３１ 紐状部材
３１ｂ カシメピン
３１ｄ ソケット部
３３ 第一の紐状部材
３３ｂ 挿通頭部
３３ｄ 球状部
３４ 第二の紐状部材
３４ｂ ソケット部
３４ｆ 球状部
３５ 封緘条片
４１ 発送情報印字プレート（発送情報印字部材）
【図１】
2011131068.tif 000003
【図２】
2011131068.tif 000004
【図３】
2011131068.tif 000005
【図４】
2011131068.tif 000006
【図５】
2011131068.tif 000007
【図６】
2011131068.tif 000008
【図７】
2011131068.tif 000009
【図８】
2011131068.tif 000010
【図９】
2011131068.tif 000011
【図１０】
2011131068.tif 000012
【図１１】
2011131068.tif 000013
【図１２】
2011131068.tif 000014
【図１３】
2011131068.tif 000015
【図１４】
2011131068.tif 000016
【図１５】
2011131068.tif 000017